(57)【要約】【課題】バストアップ用、谷間メイク用、またはその両方用とするかを適宜選択でき、着用した際に自然な形状でバストアップやバストセンター寄せを行い、バストを理想的な形に維持するパッド付きブラジャー及びブラジャーパッドを提供する。【解決手段】カップ部１０Ｒ及び１０Ｌに各々形成されたパッド収容部１２Ｒ及び１２Ｌが、カップ部１０Ｒ及び１０Ｌの略中央部から脇側の領域に形成された第１のパッド収容部２０Ｒ及び２０Ｌと、カップ部１０Ｒ及び１０Ｌの略中央部からセンター側の領域に形成された第２のパッド収容部２１Ｒ及び２０Ｌを各々備え、第１のパッド収容部２０Ｒ及び２０Ｌには、パッド１００の第１の面１０１が着用者のバスト側を向くように収容され、第２のパッド収容部２１Ｒ及び２０Ｌには、パッド１００の第２の面１０２が着用者のバスト側を向くように収容される。【選択図】図３
2008075191.tif 000002
【特許請求の範囲】
【請求項１】
一対のカップ部に各々形成されたパッド収容部に、パッドが着脱可能に収容されてなるパッド付きブラジャーであって、
前記パッドは、第１の面と、当該第１の面とは反対側に位置する第２の面を有し、
前記各々のパッド収容部は、前記カップ部の略中央部から脇側の領域に形成された第１のパッド収容部と、当該カップ部の略中央部からセンター側の領域に形成された第２のパッド収容部とを備え、当該第１のパッド収容部及び第２のパッド収容部の少なくとも一方に前記パッドが収容されてなり、
前記第１のパッド収容部には、当該パッドの第１の面が、着用者のバスト側を向くように収容され、前記第２のパッド収容部には、当該パッドの第２の面が着用者のバスト側を向くように収容されるパッド付きブラジャー。
【請求項２】
前記パッドの第１の面及び第２の面は、略中央部付近が縁部よりも凸状を呈する請求項１記載のパッド付きブラジャー。
【請求項３】
前記パッドが、前記第１のパッド収容部に収容されてなる請求項１または請求項２記載のパッド付きブラジャー。
【請求項４】
前記パッドが、前記第２のパッド収容部に収容されてなる請求項１または請求項２記載のパッド付きブラジャー。
【請求項５】
前記パッドが、前記第１のパッド収容部及び前記第２のパッド収容部の両方に収容されてなる請求項１または請求項２記載のパッド付きブラジャー。
【請求項６】
前記第１のパッド収容部に収容されたパッドと、前記第２のパッド収容部に収容されたパッドとで、略ハート型を形成してなる請求項５記載のパッド付きブラジャー。
【請求項７】
前記パッド収容部は、少なくとも一部がメッシュ状の布からなる請求項１ないし請求項６のいずれか一項に記載のパッド付きブラジャー。
【請求項８】
前記パッドの上部が、前記第１のパッド収容部及び前記第２のパッド収容部の上端から突出した状態で収容されてなる請求項１ないし請求項７のいずれか一項に記載のパッド付きブラジャー。
【請求項９】
前記パッド収容部の、該パッド収容部に収容されたパッドの輪郭に対応する少なくとも一部に、当該パッドの輪郭に相補する形状のステッチが形成されてなる請求項１ないし請求項８のいずれか一項に記載のパッド付きブラジャー。
【請求項１０】
前記パッド収容部は、前記カップ部の着用者のバスト側の面と、当該カップ部の着用者のバスト側の面に配設されたポケット布を備えてなり、前記ステッチは、当該カップ部の着用者のバスト側の面と、ポケット布とを縫合する部分を含む請求項１０記載のパッド付きブラジャー。
【請求項１１】
ブラジャーの各々のカップ部の略中央部から脇側の領域に形成された第１のパッド収容部と、当該カップ部の略中央部からセンター側の領域に形成された第２のパッド収容部に着脱可能に収容されるブラジャー用パッドであって、
第１の面と、当該第１の面とは反対側に位置する第２の面とを有し、前記第１のパッド収容部には、当該第１の面が、着用者のバスト側を向くように収容され、前記第２のパッド収容部には、当該パッドの第２の面が着用者のバスト側を向くように収容されるブラジャー用パッド。
【請求項１２】
前記第１の面及び第２の面は、略中央部付近が縁部よりも凸状を呈する請求項１１記載のブラジャー用パッド。
【請求項１３】
前記第１のパッド収容部及び第２のパッド収容部に収容された際に、両者で略ハート型を形成する請求項１１または請求項１２記載のブラジャー用パッド。
【発明の詳細な説明】
【技術分野】
【０００１】
本発明は、使用者が着用した際に、バストを理想的な形に維持することができるパッド付きブラジャー、及びこのブラジャー用パッドに関する。
【背景技術】
【０００２】
従来から、様々な機能を有するパッド付きブラジャーが種々紹介されている。例えば、正面形状がハート形状に形成されていると共に、断面形状がバストトップ部の曲面を形成するように構成されているパッドが装着されているブラジャーが紹介されている。（例えば、特許文献１参照）。
【０００３】
また、着用による締付やむれを防ぐ軽快なブラジャーとして、肩紐及び胸バンドのみからなる軽量で、風通しがよく、前記肩紐の前部に乳首のみを隠すためのハート型のポイントを設け、このポイントを上下に移動可能としたものも紹介されている。（例えば、特許文献２参照）。
【０００４】
そしてまた、妊産婦の急激な乳房の大きさの変動に柔軟に対応でき、乳房の保持を確実にできる授乳用ブラジャーとして、当該ブラジャーの左右各々のカップに、２個のパッドを上下に配置したものが紹介されている。（例えば、特許文献３参照）。
【０００５】
さらにまた、バストの補整機能及び優れた造形性を有しつつ、カップ部に対するずれ動きの生じないパッドが装着されたブラジャーとして、前記カップ部のバージスラインの外周部に沿って前記パッドが配設されたものも紹介されている。（例えば、特許文献４参照）。
【０００６】
また、使用者が主にバストアップ用として使用するか、バストセンター寄せ用として使用するか、さらにはその双方を目的として使用するかを適宜選択して使用できる汎用の広いブラジャーも紹介されている。このブラジャーは、ブラジャー本体の両カップ部の内面下部に、略中央に縦割り状の開口部を有した第１ポケットを夫々設け、該両カップ部の内面で、着装時に側方側となる部位に横割り状の開口部を有した第２ポケット部を夫々取り付け、この第１ポケットと第２ポケットとの一方または双方に２個のパッドを収納できるようにしたものである。（例えば、特許文献５参照）。
【特許文献１】特開２００４−１９０３５号公報
【特許文献２】実用新案登録第３１２３００４号公報
【特許文献３】特開２００４−１６９２０８号公報
【特許文献４】特開２００５−３２０６６６号公報
【特許文献５】実用新案登録第３０８６３７１号公報
【発明の開示】
【発明が解決しようとする課題】
【０００７】
しかしながら、前述した特許文献１〜４に記載されたブラジャーは、使用者が主にバストアップ用として使用するか、バストセンター寄せ（谷間メイク）用として使用するか、あるいはその両方用として使用するかを適宜選択することができなかった。
【０００８】
また、特許文献５に記載されたブラジャーは、使用者が主にバストアップ用として使用するか、バストセンター寄せ用として使用するか、あるいはその両方用として使用するかを適宜選択して使用することができるが、カップ部の内面下部に形成された第１ポケットと、カップ部の内面側方側に形成された第２ポケットの両方にパッドを収容した場合、前記第１のポケットに収容されたパッドの側方側と、前記第２のポケットに収容されたパッドの下側とが重ねられる構造を有しているため、この部分が他のパッド部分の約２倍の厚さとなり、パッドの厚さによっては、自然なバスト形状を呈することが困難になる虞がある。また、パッドは、第１ポケットに形成された縦割り状の開口部と、第２のポケットに形成された横割り状の開口部から出し入れされるが、開口部が比較的小さいため、パッドの出し入れが困難となる虞もある。
【０００９】
本発明は、このような事情に鑑みなされたものであり、使用者が主にバストアップ用として使用するか、バストセンター寄せ（谷間メイク）用として使用するか、あるいはその両方用として使用するかを適宜選択することができることは勿論のこと、使用者が着用した際に、自然な形状でバストアップやバストセンター寄せをさせる適切な位置に、適切な形状のパッドが配設され、使用者のバストを理想的な形に維持することができるパッド付きブラジャーを提供することを目的とする。
【００１０】
また、ブラジャーに装着させ、このブラジャーを使用者が着用した際に、自然な形状でバストアップやバストセンター寄せ（谷間メイク）を行うことができ、使用者のバストを理想的な形に維持することができるブラジャー用パッドを提供することを目的とする。
【課題を解決するための手段】
【００１１】
この目的を達成するため本発明は、一対のカップ部に各々形成されたパッド収容部に、パッドが着脱可能に収容されてなるブラジャーであって、前記パッドは、第１の面と、当該第１の面とは反対側に位置する第２の面を有し、前記各々のパッド収容部は、前記カップ部の略中央部から脇側の領域に形成された第１のパッド収容部と、当該カップ部の略中央部からセンター側の領域に形成された第２のパッド収容部とを備え、当該第１のパッド収容部及び第２のパッド収容部の少なくとも一方に前記パッドが収容されてなり、前記第１のパッド収容部には、当該パッドの第１の面が、着用者のバスト側を向くように収容され、前記第２のパッド収容部には、当該パッドの第２の面が着用者のバスト側を向くように収容されるパッド付きブラジャーを提供するものである。
【００１２】
この構成を備えたパッド付きブラジャーは、前記カップ部の略中央部から脇側の領域に形成された第１のパッド収容部と、当該カップ部の略中央部からセンター側の領域に形成された第２のパッド収容部の少なくとも一方にパッドが収容された構成を備えており、前記第１のパッド収容部にパッドが収容されている場合、すなわち、パッドがブラジャーのカップ部の略中央部から脇側の領域に配設された場合、使用者のバストアップが図れ、デコルテラインが理想的に見える丸いシルエットを作り出すことができる。また、前記第２のパッド収容部にパッドが収容されている場合、すなわち、パッドがブラジャーのカップ部の略中央部からセンター側の領域に配設された場合、使用者のバストをセンターに寄せることができ、バストの谷間を強調することができると共に、脇部分をすっきりと見せることができる。そしてまた、前記第１のパッド収容部及び第２のパッド収容部の両方にパッドが収容されている場合、前述した両方の効果を得ることができ、理想的なデコルテラインが得られると共に、バストの谷間も強調することができる。
【００１３】
そしてまた、この構成を備えたパッド付きブラジャーは、パッドの第１の面と第２の面の向きを反対にするだけで、第１のパッド収容部及び第２のパッド収容部の両方に収容することができるため、例えば、第１のパッド収容部用、第２のパッド収容部用というようにパッド収容部の各々に対し収容するパッドを変える必要がないため、取り扱いが簡単である。
【００１４】
また、本発明にかかるパッド付きブラジャーの構成要素であるパッドの第１の面及び第２の面は、略中央部付近が縁部よりも凸状を呈するよう構成することができる。さらにまた、前記パッドは、前記第１のパッド収容部に収容されたパッドと、前記第２のパッド収容部に収容されたパッドの両方で略ハート型を形成（画定）する形状を有することもできる。
【００１５】
さらにまた、前記パッド収容部は、少なくとも一部がメッシュ状の布から構成することができる。このようにすることで、パッド収容部に収容したパッドを、パッド付きブラジャーの背面側から見ることができ、デザイン的に有利である。
【００１６】
また、本発明にかかるパッド付きブラジャーは、前記パッドが前記第１のパッド収容部及び前記第２のパッド収容部に収容された際に、当該パッドの上部が、当該第１のパッド収容部及び前記第２のパッド収容部の上端から突出した状態となるよう構成することもできる。このようにすることで、前記利点に加え、前記第１のパッド収容部及び第２のパッド収容部に収容されたパッドを簡単に取り出すことができると共に、前記パッドを第１のパッド収容部及び第２のパッド収容部に簡単に収容することができる。
【００１７】
そしてまた、本発明にかかるパッド付きブラジャーは、前記パッド収容部の、該パッド収容部に収容されたパッドの輪郭に対応する少なくとも一部に、当該パッドの輪郭に相補する形状のステッチを形成した構成を備えることもできる。このようにすることで、パッド収容部にパッドを収容した際に、前記利点に加え、当該パッドの移動を前記ステッチによって制限することができるため、パッドを適切な位置に維持しておくことができる。
【００１８】
さらにまた、前記ステッチは、前記パッド収容部を、前記カップ部の着用者のバスト側の面と、当該カップ部の着用者のバスト側の面に配設されたポケット布によって形成した場合、当該カップ部の着用者のバスト側の面と、ポケット布とを縫合する部分を含むように形成することができる。このようにすることで、カップ部の着用者のバスト側の面と、ポケット布との縫合部分の少なくとも一部が、パッドの形状に沿って縫合されることになるため、パッド収容部の少なくとも一部がパッドの形状と同様の形状となり、さらにパッドを適切な位置に維持しておくことができる。
【００１９】
そしてまた、本発明は、ブラジャーの各々のカップ部の略中央部から脇側の領域に形成された第１のパッド収容部と、当該カップ部の略中央部からセンター側の領域に形成された第２のパッド収容部に着脱可能に収容されるパッドであって、第１の面と、当該第１の面とは反対側に位置する第２の面とを有し、前記第１のパッド収容部には、当該第１の面が、着用者のバスト側を向くように収容され、前記第２のパッド収容部には、当該パッドの第２の面が着用者のバスト側を向くように収容されるブラジャー用パッドを提供するものである。
【００２０】
この構成を備えたブラジャー用パッドは、前記ブラジャーの第１のパッド収容部に収容された場合、使用者のバストアップが図れ、デコルテラインが理想的に見える丸いシルエットを作り出すことができる。また、本発明にかかるブラジャー用パッドが、前記ブラジャーの第２のパッド収容部に収容された場合、使用者のバストをセンターに寄せることができ、バストの谷間を強調することができると共に、脇部分をすっきりと見せることができる。そしてまた、本発明にかかるブラジャー用パッドが、前記ブラジャーの第１のパッド収容部及び第２のパッド収容部の両方に収容された場合、前述したバストアップ効果、バストの谷間を強調する効果の両方を得ることができ、理想的なデコルテラインが得られると共に、バストの谷間も強調することができる。
【００２１】
また、本発明にかかるブラジャー用パッドは、前記第１の面及び第２の面の略中央部付近が縁部よりも凸状を呈する形状を有することができる。また、本発明にかかるブラジャー用パッドは、前記ブラジャーの第１のパッド収容部及び第２のパッド収容部に収容された際に、両者で略ハート型を形成する形状を有することができる。このような形状を備えることで、前述したバストアップ効果、バストの谷間を強調する効果を、さらに向上させることができる。
【発明の効果】
【００２２】
本発明にかかるパッド付きブラジャーは、第１のパッド収容部にパッドを収容することで、使用者のバストアップが図れ、デコルテラインが理想的に見える丸いシルエットを作り出すことができ、第２のパッド収容部にパッドを収容することで、使用者のバストをセンターに寄せることができ、バストの谷間を強調することができると共に、脇部分をすっきりと見せることができる。また、前記第１のパッド収容部及び第２のパッド収容部の両方にパッドを収容すれば、前述したバストアップ効果、バストの谷間を強調する効果の両方を得ることができる。したがって、使用者が主にバストアップ用として使用するか、バストセンター寄せ（谷間メイク）用として使用するか、あるいはその両方用として使用するかを適宜選択することができ、使用者の要望に応じた理想的なバストを作り、維持することができる。
【００２３】
また、本発明にかかるブラジャー用パッドは、ブラジャーの第１のパッド収容部に収容された場合、使用者のバストアップが図れ、デコルテラインが理想的に見える丸いシルエットを作り出すことができ、前記ブラジャーの第２のパッド収容部に収容された場合、使用者のバストをセンターに寄せることができ、バストの谷間を強調することができると共に、脇部分をすっきりと見せることができ、さらに前記第１のパッド収容部及び第２のパッド収容部の両方に収容された場合、前述したバストアップ効果、バストの谷間を強調する効果の両方を得ることができる。したがって、使用者が、パッドを収容する位置に応じて、主にバストアップ用として使用するか、バストセンター寄せ（谷間メイク）用として使用するか、あるいはその両方用として使用するかを適宜選択することができ、使用者の要望に応じた理想的なバストを作り、維持することができる。
【発明を実施するための最良の形態】
【００２４】
次に、本発明の好適な実施の形態にかかるパッド付きブラジャー及びブラジャー用パッドについて図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。また、本実施の形態では、使用者が着用した際に、外側に現れる面を「正面」、使用者の身体側となる面を「背面」として説明する。
【００２５】
図１は、本発明の実施の形態にかかるパッド付きブラジャーの要部背面図であって、第１のパッド収容部にパッドが収容されている状態を示す図、図２は、本発明の実施の形態にかかるパッド付きブラジャーの要部背面図であって、第２のパッド収容部にパッドが収容されている状態を示す図、図３は、本発明の実施の形態にかかるパッド付きブラジャーの要部背面図であって、第１のパッド収容部及び第２のパッド収容部の両方にパッドが収容されている状態を示す図、図４は、本発明の実施の形態にかかるパッド付きブラジャーの要部背面図であって、第１のパッド収容部及び第２のパッド収容部の両方にパッドが収容されていない状態を示す図、図５は、本発明の実施の形態にかかるパッド付きブラジャーの要部正面図、図６は、本発明の実施の形態にかかるパッド付きブラジャーの構成要素であるパッドを示す平面図、図７は、図６に示すVII−VII線に沿った断面図、図８は、図６に示すパッドの側面図、図９は、図６に示すパッドを組み合わせた状態を示す平面図、図１０は、使用者が図１に示すパッド付きブラジャーを着用した状態を模式的に示す正面図、図１１は、使用者が図２に示すパッド付きブラジャーを着用した状態を模式的に示す正面図、図１２は、使用者が図３に示すパッド付きブラジャーを着用した状態を模式的に示す正面図である。
【００２６】
図１〜図９に示すように、本実施の形態にかかるパッド付きブラジャー１は、一対のカップ部１０Ｒ及び１０Ｌを有しており、各々のカップ部１０Ｒ及び１０Ｌの背面側には、パッド１００を収容するパッド収容部１２Ｒ及び１２Ｌが形成されている。
【００２７】
パッド収容部１２Ｒは、カップ部１０Ｒの背面と、カップ部１０Ｒの背面に配設されたポケット布１５Ｒから形成されている。このポケット布１５Ｒは略半円形状を備え、この略半円形状のうちの円弧状部分が、カップ部１０Ｒのバージスラインに沿って縫合され、直線部分が上端となって、パッド１００の出し入れ口を形成している。また、ポケット布１５Ｒの上端の略中央部は、カップ部１０Ｒの略中央部に相当しており、この部分がカップ部１０Ｒの背面に縫合された縫合部１６Ｒとなっている。カップ部１０Ｒの背面には、この縫合部１６Ｒに連続したステッチ５０Ｒが形成されている。このステッチ５０Ｒは、パッド収容部１２Ｒに収容されたパッド１００の外周が位置する部分の一部（本実施の形態では、パッド１００の上部外周が位置する部分）に形成されており、パッド１００の輪郭に相補する形状を有している。そして、このステッチ５０Ｒの終端は、ポケット布１５Ｒの一部をカップ部１０Ｒの背面に縫合している。すなわち、このステッチ５０は、略ハート型の一部を形成している。また、パッド収容部１２Ｒは、この縫合部１６Ｒを境として脇側の領域と、センター側の領域とに分けられており、縫合部１６Ｒ（カップ部１０Ｒの略中央部）から脇側の領域が、第１のパッド収容部２０Ｒを構成し、縫合部１６Ｒ（カップ部１０Ｒの略中央部）からセンター側の領域が、第２のパッド収容部２１Ｒを構成している。また、第１のパッド収容部２０Ｒと、第２のパッド収容部２１Ｒは、ポケット布１５Ｒの上端に形成された縫合部１６Ｒよりも下の位置において、互いに連通している。
【００２８】
なお、本実施の形態では、ポケット布１５Ｒとして、メッシュ状の布を使用し、内部に収容したパッド１００がポケット布１５Ｒを介して透けて見えるようにした。また、ポケット布１５Ｒの上端の位置は、カップ部１０Ｒの略中央部とほぼ同じ高さ位置となっており、パッド１００を収容させた際に、パッド１００の上部がポケット布１５Ｒの上端から突出する（はみ出る）ようになっている。
【００２９】
パッド収容部１２Ｌは、パッド収容部１２Ｒと対称な構成を有しているため、パッド収容部１２Ｒで説明した各部材の符号ＲをＬに読み代えることで、その詳細な説明は省略する。
【００３０】
パッド１００は、平面視で略ハート型を線対称に２分割することで得られる形状を有しており、第１の面１０１と、第１の面１０１とは反対側に位置する第２の面１０２を備えている。このパッド１００は、第１のパッド収容部２０Ｒ及び第２のパッド収容部２１Ｒに対し出し入れ可能に収容されるサイズを有しており、図９に示すように、一方のパッド１００の第１の面１０１と、他方のパッド１００の第２の面１０２とが、同一平面状になるように並設することで、平面視で略ハート型を形成する。このパッド１００は、第１の面１０１を形成する第１の布と、第２の面１０２を形成する第２の布との間にクッション材１０３を介在させ、第１の布の縁部１０４と第２の布の縁部１０５を縫合することで、第１の面１０１及び第２の面１０２の略中央部付近が、縁部１０４及び１０５よりも凸状となるように形成されている。
【００３１】
次に、本実施の形態にかかるパッド付きブラジャー１を着用することによって、バストアップを行い、デコルテラインが理想的に見える丸いシルエットを作りたい場合は、図１に示すように、第１のパッド収容部２０Ｒ及び２０Ｌに、パッド１００の第１の面１０１が、着用者のバスト側を向くようにしてパッド１００をそれぞれ収容する。この時、各々のパッド１００は、略ハート型の半分を形成する方向で収容されている。また、第１のパッド収容部２０Ｒと第２のパッド収容部２１Ｒとの間は縫合部１６Ｒによって分離され、第１のパッド収容部２０Ｌと第２のパッド収容部２１Ｌとの間は縫合部１６Ｌによって分離されており、また、第１のパッド収容部２０Ｒ及び２０Ｌの脇側は、ステッチ５０Ｒ及び５０Ｌによって、カップ部１０Ｒの背面に各々縫合されている。このため、第１のパッド収容部２０Ｒに収容されたパッド１００は、縫合部１６Ｒ及びステッチ５０Ｒによって移動が制限され、所定の位置に維持され、第１のパッド収容部２０Ｌに収容されたパッド１００は、縫合部１６Ｌ及びステッチ５０Ｌによって移動が制限され、所定の位置に維持される。この第１のパッド収容部２０Ｒ及び２０Ｌにパッド１００が収容されたパッド付きブラジャー１（図１参照）を使用者が着用すると、図１０に示すように、バストアップ効果が得られ、デコルテラインが理想的に見える丸いシルエットが作り出される。
【００３２】
ここで、パッド１００は、第１の面１０１及び第２の面１０２の略中央部付近が、縁部１０４及び１０５よりも凸状となっているため、バストをより自然な形に補正することができる。
【００３３】
また、本実施の形態にかかるパッド付きブラジャー１を着用することによって、バストのセンター寄せを行い、バストの谷間を強調（谷間メイク）したい場合は、図２に示すように、第２のパッド収容部２１Ｒ及び２１Ｌに、パッド１００の第２の面１０２が、着用者のバスト側を向くようにしてパッド１００をそれぞれ収容する。この時、各々のパッド１００は、略ハート型の半分を形成する方向で収容されている。また、前述したように、第１のパッド収容部２０Ｒと第２のパッド収容部２１Ｒとの間、第１のパッド収容部２０Ｌと第２のパッド収容部２１Ｌとの間は、縫合部１６Ｒ及び１６Ｌによって各々分離されており、さらに第２のパッド収容部２１Ｒ及び２１Ｌには、ステッチ５０Ｒ及び５０Ｌがそれぞれ形成されているため、第２のパッド収容部２１Ｒ及び２１Ｌに収容された各々のパッド１００は、縫合部１６Ｒ及び１６Ｌと、ステッチ５０Ｒ及び５０Ｌによって移動が制限され、所定の位置にそれぞれ維持される。この第２のパッド収容部２１Ｒ及び２１Ｌにパッド１００が収容されたパッド付きブラジャー１（図２参照）を使用者が着用すると、図１１に示すように、バストがセンター側に寄り、バストの谷間を強調されると共に、脇部分をすっきりと見せることができる。
【００３４】
さらにまた、本実施の形態にかかるパッド付きブラジャー１を着用することによって、前述したバストアップと、バストの谷間の強調の両方を行いたい場合は、図３に示すように、第１のパッド収容部２０Ｒ及び２０Ｌと、第２のパッド収容部２１Ｒ及び２１Ｌの両方にパッド１００をそれぞれ収容する。この時、第１のパッド収容部２０Ｒ及び２０Ｌに収容される各々のパッド１００は、第１の面１０１が、着用者のバスト側を向くようにして、第１のパッド収容部２０Ｒ及び２０Ｌに収容する。また、第２のパッド収容部２１Ｒ及び２１Ｌに収容される各々のパッド１００は、第２の面１０２が、着用者のバスト側を向くようにして、第２のパッド収容部２１Ｒ及び２１Ｌに収容する。
【００３５】
このようにして、第１のパッド収容部２０Ｒと第２のパッド収容部２１Ｒに収容されたパッド１００は、図３に示すように、両者で略ハート型を形成し、第１のパッド収容部２０Ｌと第２のパッド収容部２１Ｌに収容されたパッド１００も、図３に示すように、両者で略ハート型を形成する。この時、本実施の形態では、ポケット布１５Ｒ及び１５Ｌとしてメッシュ状の布を使用しているため、収容されたパッド１００がポケット布１５Ｒを介して透けて見える。すなわち、略ハート型を呈する一対のパッド１００が、パッド付きブラジャー１の背面側に表れるため、デザイン的に有利である。
【００３６】
そしてまた、前述したように、第１のパッド収容部２０Ｒ及び２０Ｌと、第２のパッド収容部２１Ｒ及び２１Ｌに各々収容されたパッド１００は、縫合部１６Ｒ及び１６Ｌ及びステッチ５０Ｒ及び５０Ｌによって移動が制限され、所定の位置にそれぞれ維持される。したがって、例えば、隣接して配設されたパッド１００同士が、着用中等に移動し、その一部が重なったりすることがない。この第１のパッド収容部２０Ｒ及び２０Ｌと、第２のパッド収容部２１Ｒ及び２１Ｌの両方にパッド１００が収容されたパッド付きブラジャー１（図３参照）を、使用者が着用すると、図１２に示すように、バストアップ効果が得られ、デコルテラインが理想的に見える丸いシルエットが作り出され、且つ、バストがセンター側に寄り、バストの谷間を強調されると共に、脇部分をすっきりと見せることができる。
【００３７】
また、第１のパッド収容部２０Ｒ及び２０Ｌと、第２のパッド収容部２１Ｒ及び２１Ｌに収容されたパッド１００は、その上部が、ポケット布１５Ｒ及び１５Ｌの上端から突出しているため、第１のパッド収容部２０Ｒ及び２０Ｌ、第２のパッド収容部２１Ｒ及び２１Ｌからパッド１００を取り外す際には、パッド１００の上部を持つことができるため、簡単に取り外すことができる。また、同様に、第１のパッド収容部２０Ｒ及び２０Ｌ、第２のパッド収容部２１Ｒ及び２１Ｌへの収容も簡単である。
【００３８】
なお、本実施の形態では、パッド１００の形状を、平面視で略ハート型を線対称に２分割することで得られる形状としたが、これに限らず、パッド１００は、ブラジャーのカップ部１０Ｒ及び１０Ｌに形成された第１のパッド収容部２０Ｒ及び２０Ｌ、第２のパッド収容部２１Ｒ及び２１Ｌに収容可能であり、この第１のパッド収容部２０Ｒ及び２０Ｌ、第２のパッド収容部２１Ｒ及び２１Ｌに収容されることで、バストアップ効果、谷間強調効果を発揮することが可能であれば、例えば、略三日月型、略ビーンズ型、略広葉樹型、略半円型等、所望の形状を有することができる。また、パッド１００の厚さ等も同様に所望により選択することができる。
【００３９】
また、本発明にかかるカップ付きブラジャーのカップ部は、フルカップ、３／４カップ、１／２カップ等、任意の形状のカップ部を選択することができる。
【００４０】
そしてまた、本実施の形態では、第１のパッド収容部２０Ｒ（２０Ｌ）と、第２のパッド収容部２１Ｒ（２０Ｌ）が、ポケット布１５Ｒ（１５Ｌ）の上端に形成された縫合部１６Ｒ（１６Ｌ）よりも下の位置において、互いに連通するように形成した場合について説明したが、これに限らず、縫合部１６Ｒ（１６Ｌ）から下方に連続してポケット布１５Ｒ（１５Ｌ）をカップ部１０Ｒ（１０Ｌ）の背面に縫合し、第１のパッド収容部２０Ｒ（２０Ｌ）と、第２のパッド収容部２１Ｒ（２０Ｌ）とを分離してもよい。
【図面の簡単な説明】
【００４１】
【図１】本発明の実施の形態にかかるパッド付きブラジャーの要部背面図であって、第１のパッド収容部にパッドが収容されている状態を示す図である。
【図２】本発明の実施の形態にかかるパッド付きブラジャーの要部背面図であって、第２のパッド収容部にパッドが収容されている状態を示す図である。
【図３】本発明の実施の形態にかかるパッド付きブラジャーの要部背面図であって、第１のパッド収容部及び第２のパッド収容部の両方にパッドが収容されている状態を示す図である。
【図４】本発明の実施の形態にかかるパッド付きブラジャーの要部背面図であって、第１のパッド収容部及び第２のパッド収容部の両方にパッドが収容されていない状態を示す図である。
【図５】本発明の実施の形態にかかるパッド付きブラジャーの要部正面図である。
【図６】本発明の実施の形態にかかるパッド付きブラジャーの構成要素であるパッドを示す平面図である。
【図７】図６に示すVII−VII線に沿った断面図である。
【図８】図６に示すパッドの側面図である。
【図９】図６に示すパッドを組み合わせた状態を示す平面図である。
【図１０】使用者が図１に示すパッド付きブラジャーを着用した状態を模式的に示す正面図である。
【図１１】使用者が図２に示すパッド付きブラジャーを着用した状態を模式的に示す正面図である。
【図１２】使用者が図３に示すパッド付きブラジャーを着用した状態を模式的に示す正面図である。
【符号の説明】
【００４２】
１    パッド付きブラジャー
１０Ｒ、１０Ｌ    カップ部
１２Ｒ、１２Ｌ    パッド収容部
１５Ｒ、１５Ｌ    ポケット布
１６Ｒ、１６Ｌ    縫合部
２０Ｒ、２０Ｌ    第１のパッド収容部
２１Ｒ、２１Ｌ    第２のパッド収容部
５０Ｒ、５０Ｌ    ステッチ
１００    パッド
１０１    第１の面
１０２    第２の面
【図１】
2008075191.tif 000003
【図２】
2008075191.tif 000004
【図３】
2008075191.tif 000005
【図４】
2008075191.tif 000006
【図５】
2008075191.tif 000007
【図６】
2008075191.tif 000008
【図７】
2008075191.tif 000009
【図８】
2008075191.tif 000010
【図９】
2008075191.tif 000011
【図１０】
2008075191.tif 000012
【図１１】
2008075191.tif 000013
【図１２】
2008075191.tif 000014